(57)【要約】      （修正有）【課題】表示装置をユーザに視認させることなく、再生中の音楽データファイルに付加された楽曲名やアーティスト情報といった情報をユーザに知らせることの可能なポータブルオーディオ機器を提供する。【解決手段】テキスト文字列から合成音声データを生成する音声合成部１０７を有し、制御部１０５は、所定の音楽データファイルを再生中に、ユーザが操作部１０１に所定の操作を加えたことを検出すると、前記音声合成部１０７によって前記所定の音楽データファイルに付加されている楽曲名および／またはアーティスト名のテキスト文字列から合成音声データを生成し、オーディオ再生部１０４で当該合成音声を再生する。【選択図】図１
2009244814.tif 000002
【特許請求の範囲】
【請求項１】
ユーザインターフェイスをなす操作部と、
音楽データファイルを記憶する記憶部と、
前記音楽データファイルを再生するオーディオ再生部と、
ユーザが前記操作部を操作することに応じて、前記記憶部に記憶された前記音楽データファイルを前記オーディオ再生部に再生させる制御部とを備えたポータブルオーディオ機器において、
さらに、テキスト文字列から合成音声データを生成する音声合成部を有し、
前記制御部は、所定の音楽データファイルを再生中に、ユーザが前記操作部に所定の操作を加えたことを検出すると、前記音声合成部によって前記所定の音楽データファイルに付加されている楽曲名および／またはアーティスト名のテキスト文字列から合成音声データを生成し、前記オーディオ再生部で当該合成音声データを再生することを特徴とするポータブルオーディオ機器。
【請求項２】
ユーザインターフェイスをなす操作部と、
音楽データファイルを記憶する記憶部と、
前記音楽データファイルを再生するオーディオ再生部と、
ユーザが前記操作部を操作することに応じて、前記記憶部に記憶された前記音楽データファイルを前記オーディオ再生部に再生させる制御部とを備えたポータブルオーディオ機器において、
さらに、テキスト文字列から合成音声データを生成する音声合成部を有し、
前記制御部は、予め前記記憶部に記憶された音楽データファイルに付加されている楽曲名および／またはアーティスト名のテキスト文字列から前記音声合成部によって合成音声データを生成しておき、所定の音楽データファイルを再生中にユーザが前記操作部に所定の操作を加えたことを検出すると、当該音楽データファイルの楽曲名および／またはアーティスト名の合成音声データを前記オーディオ再生部で再生することを特徴とするポータブルオーディオ機器。
【請求項３】
前記制御部は、前記所定の音楽データファイルの再生を中断することなく、楽曲名および／またはアーティスト名のテキスト文字列から生成された合成音声データを同時に再生することを特徴とする請求項１または２に記載のポータブルオーディオ機器。
【発明の詳細な説明】
【技術分野】
【０００１】
本発明は、ポータブルオーディオ機器に関するものである。
【背景技術】
【０００２】
近年、ハードディスク、フラッシュメモリ、メモリカード等に音楽データを記録・再生するポータブルオーディオ機器が広く利用されている。このようなポータブルオーディオ機器は、例えば音楽データをＣＤから取り込んだりネットワーク経由でダウンロードしたパーソナルコンピュータと接続され、パーソナルコンピュータから転送された音楽データファイルを記録・再生するものである。このようなポータブル機器が再生する音楽データファイルの形式は機種によって様々であるが、例えば、非圧縮音声フォーマット（WAV、AIFF、AU等）、可逆圧縮を伴うフォーマット（FLAC、Monkey's Audio、TTA、Apple Lossless、lossless WMA等）、非可逆圧縮を伴うフォーマット（MP3、Vorbis、lossy WMA、AAC等）といったものを挙げることができる。
【０００３】
このようなポータブルオーディオ機器は、音楽データを再生するだけでなく、パーソナルコンピュータのメディアプレイヤーと同様に、音楽データファイルに付加されている演奏時間、曲名、アーティスト名等の情報を読み出す機能を有していることが通常である。そして、このような機能を利用してポータブルオーディオ機器の本体またはリモコンに、音楽データファイルのリストを表示したり、再生している音楽データの情報を表示することが行われている。
【０００４】
特開２０００−３０５５８８には、このようなポータブルオーディオ機器において、ユーザが所望のデータを音楽データファイルに付加することができ、音楽データファイルの再生に同期してユーザの付加したデータを表示することの可能なポータブルオーディオ機器が開示されている。
【特許文献１】特開２０００−３０５５８８
【発明の開示】
【発明が解決しようとする課題】
【０００５】
従来、ポータブルオーディオ機器で現在再生されている音楽データファイルの楽曲名やアーティスト情報をユーザが知るためには、ポータブルオーディオ機器本体またはリモコンの表示装置を見なければならなかった。このため、表示装置付きのリモコンが設けられていない場合にはポータブルオーディオ機器本体を取り出さなければならず、また、表示装置付きのリモコンが設けられている場合であっても咄嗟にリモコンの表示装置を見ることができなかったり煩雑なことがあるという問題があった。
【０００６】
本発明は、上記状況に鑑み、ポータブルオーディオ機器の本体またはリモコンに設けられた表示装置をユーザに視認させることなく、再生中の音楽データファイルに付加された楽曲名やアーティスト情報といった情報をユーザに知らせることの可能なポータブルオーディオ機器を提供することを目的とする。
【課題を解決するための手段】
【０００７】
上記課題を解決するため、本発明の第１の観点においては、ユーザインターフェイスをなす操作部と、
音楽データファイルを記憶する記憶部と、
前記音楽データファイルを再生するオーディオ再生部と、
ユーザが前記操作部を操作することに応じて、前記記憶部に記憶された前記音楽データファイルを前記オーディオ再生部に再生させる制御部とを備えたポータブルオーディオ機器において、
さらに、テキスト文字列から合成音声データを生成する音声合成部を有し、
前記制御部は、所定の音楽データファイルを再生中に、ユーザが前記操作部に所定の操作を加えたことを検出すると、前記音声合成部によって前記所定の音楽データファイルに付加されている楽曲名および／またはアーティスト名のテキスト文字列から合成音声データを生成し、前記オーディオ再生部で当該合成音声を再生することを特徴とするポータブルオーディオ機器を提供する。
【０００８】
また、本発明の第２の観点は、ユーザインターフェイスをなす操作部と、
音楽データファイルを記憶する記憶部と、
前記音楽データファイルを再生するオーディオ再生部と、
ユーザが前記操作部を操作することに応じて、前記記憶部に記憶された前記音楽データファイルを前記オーディオ再生部に再生させる制御部とを備えたポータブルオーディオ機器において、
さらに、テキスト文字列から合成音声データを生成する音声合成部を有し、
前記制御部は、予め前記記憶部に記憶された音楽データファイルに付加されている楽曲名および／またはアーティスト名のテキスト文字列から前記音声合成部によって合成音声データを生成しておき、所定の音楽データファイルを再生中にユーザが前記操作部に所定の操作を加えたことを検出すると、当該音楽データファイルの楽曲名および／またはアーティスト名の合成音声データを前記オーディオ再生部で再生することを特徴とするポータブルオーディオ機器を提供する。
【０００９】
以上のような構成のポータブルオーディオ機器において、前記制御部は、前記所定の音楽データファイルの再生を中断することなく、楽曲名および／またはアーティスト名のテキスト文字列から生成された合成音声データを同時に再生する構成とすることが好適である。
【発明の効果】
【００１０】
本発明の第１の観点にかかるポータブルオーディオ機器は、テキスト文字列から合成音声データを生成する音声合成部を有し、所定の音楽データファイルを再生中に、ユーザが前記操作部に所定の操作を加えたことを検出すると、前記音声合成部によって前記所定の音楽データファイルに付加されている楽曲名および／またはアーティスト名のテキスト文字列から合成音声データを生成し、前記オーディオ再生部で当該合成音声を再生する。したがって、本発明の第１の観点にかかるポータブルオーディオ機器を利用しているユーザは、操作部に所定の操作を行うことによって再生中の音楽データのアーティスト名および／または楽曲名の合成音声を聞くことができ、これにより表示装置を視認することなく再生中の音楽データに関する情報を知ることができる。
【００１１】
また、本発明の第２の観点にかかるポータブルオーディオ機器は、第１の観点と同様にテキスト文字列から合成音声データを生成する音声合成部を有し、予め前記記憶部に記憶された音楽データファイルに付加されている楽曲名および／またはアーティスト名のテキスト文字列から前記音声合成部によって合成音声データを生成しておき、所定の音楽データファイルを再生中にユーザが前記操作部に所定の操作を加えたことを検出すると、当該音楽データファイルの楽曲名および／またはアーティスト名の合成音声データを前記オーディオ再生部で再生する。このように本発明の第２の観点にかかるポータブルオーディオ機器では、ユーザの操作に先行して楽曲名および／またはアーティスト名の合成音声データを生成しておくので、所定の操作を行ってからアーティスト名および／または楽曲名の合成音声が再生されるまでにかかるシステムの負荷を軽減することができる。
【００１２】
さらに、本発明において、前記制御部は、前記所定の音楽データファイルの再生を中断することなく、楽曲名および／またはアーティスト名のテキスト文字列から生成された合成音声データを同時に再生する構成とすれば、音楽データの再生を中断させることなく、再生している音楽データの楽曲名および／またはアーティスト名の合成音声をユーザに提供することができる。
【発明を実施するための最良の形態】
【００１３】
以下、本発明を実施するための最良の形態について説明する。図１は、本発明の第１の実施形態にかかるポータブルオーディオ機器１００の機能ブロック図である。図１に示すように、このポータブルオーディオ機器１００は、主として、表示部１０１と、操作部１０２と、通信Ｉ／Ｆ部１０３と、オーディオ再生部１０４と、制御部１０５と、記憶部１０６と、音声合成部１０７と、出力Ｉ／Ｆ部１０８と、音声出力部１０９とから構成されている。以下、それぞれの構成について説明する。
【００１４】
表示部１０１は、ポータブルオーディオ機器１００の筐体に設けられた液晶表示装置または有機ＥＬ表示装置であって、ポータブルオーディオ機器１００の動作状態、ポータブルオーディオ機器１００を操作するためのユーザインターフェイス等を後述する制御部１０５の制御下で表示するものである。ポータブルオーディオ機器１００のユーザは、表示部１０１に示されたユーザインターフェイスを介してポータブルオーディオ機器１００の状態を知り、その操作を行うものである。また、ポータブルオーディオ機器１００が、動画ファイルの再生を行う場合には、表示部１０１に当該動画ファイルにかかる映像が表示される。
【００１５】
操作部１０２は、ポータブルオーディオ機器１００の筐体（不図示）または付属品に設けられたボタン（例えば、イヤフォンのコードに取り付けられたリモコンの）、およびその他キーパッド等の入力装置であり、ユーザが操作することにより各キーまたはボタンに応じた信号であるキーイベントが後述する制御部１０５に通知され、種々の操作ないしは制御に利用される。
【００１６】
通信Ｉ／Ｆ部１０３は、ポータブルオーディオ機器１００をホストＰＣ等と接続して通信を行うためのインターフェイスである。例えば、ポータブルオーディオ機器１００とホストＰＣとをケーブル接続する場合には、通信Ｉ／Ｆ部１０３をＵＳＢ仕様に基づいて構成することができる。また、無線接続する場合にはＷｉＦｉにより無線接続する構成としてもよい。このような通信Ｉ／Ｆ部１０３は、後述する制御部１０５の制御下で動作することにより、ＰＣのようなホスト機器と通信可能に接続し、ホスト機器から音楽データのファイルを受け取る機能を実現する。また、ホスト機器から操作コマンドを受け取り、後述する記憶部１０６の内容を適宜変更する機能を実現する。さらに、通信Ｉ／Ｆ部１０３にホスト機能を設け、通信Ｉ／Ｆ部１０３に接続されたスレーブ機器をポータブルオーディオ機器１００から操作するようにしても構わない。
【００１７】
オーディオ再生部１０４は、WMA、MP3、AAC等のフォーマットにより作成された音楽データファイルのデータをデコードし、デコードにより得られたデジタル信号をアナログ信号に変換して後述する出力Ｉ／Ｆ部１０８に出力する機能を有している。図２は、このようなオーディオ再生部１０４の構成例を具体的に示した図面である。図２に示すように、このオーディオ再生部１０４は、制御部Ｉ／Ｆ部１１０と、ＤＳＰ（Ｄｉｇｉｔａｌ  Ｓｉｇｎａｌ  Ｐｒｏｃｅｓｓｏｒ）１１２と、ミキサ１１３と、デジタルアンプ１１４と、ＤＡＣ（Ｄｉｇｉｔａｌ  Ａｎａｌｏｇｕｅ  Ｃｏｎｖｅｒｔｅｒ）１１５とを有している。制御部Ｉ／Ｆ部１１０は、後述する制御部１０５とのインターフェイスをなし、制御部１０５がオーディオ再生部１０４に引き渡すコマンド、パラメータおよびデータを受け付けるものである。制御部Ｉ／Ｆ部１１０にはこれらの信号を一時的に記録するバッファを設けても良い。
【００１８】
ＤＳＰ１１２は、オーディオ処理に適した演算部、制御部およびアドレス計算部を有し、制御部Ｉ／Ｆ部１１０を介して制御部１０５からのコマンド、パラメータおよびデータを受け取り、コマンドおよびパラメータに従ってデータのデコードを行い、デコードにより得られたデジタル信号を出力する機能を有している。ＤＳＰ１１２は複数の音源データを並行してデコードすることが可能であり、各音源から得られたデジタル信号は各々に出力される。ミキサ１１３はＤＳＰ１１２の出力側に設けられており、制御部Ｉ／Ｆ部１１０を介して受け取ったパラメータに応じてデジタル信号をミキシングする機能を有している。デジタルアンプは１１４は、ミキサ１１３の出力側に設けられており、制御部Ｉ／Ｆ部１１０を介して受け取ったパラメータに応じて、ミキサ１１３からデジタル信号の音量を増幅する機能を有している。デジタルアンプの出力側にはＤＡＣ１１５が設けられており、デジタルアンプ１１４の出力したデジタル信号をアナログ信号に変換してオーディオ再生部１０４から出力Ｉ／Ｆ部１０８に出力する。なお、オーディオ再生部１０４は、このようにＤＳＰ１１２を利用して音楽データファイルのデータをデコードするものに限られず、ハードウェアによりデコードを行う構成としてもよい。
【００１９】
制御部１０５は、不図示のＣＰＵ上で所定のプログラムを実行することにより仮想的に構成される機能ブロックであって、ポータブルオーディオ機器１００の各機能ブロックとの間でデータおよび制御信号をやり取りすることにより、ポータブルオーディオ機器１００の各種機能を実現するものである。また、本実施形態における制御部１０５は、ポータブルオーディオ機器１００の通常の機能に加えて、音楽データファイルの再生中に操作部１０２に加えられた所定の操作を検出することにより、後述する動作を行うように、さらには、これと付随した動作を行うように各機能ブロックを制御する。
【００２０】
記憶部１０６は、音楽データファイル等を制御部１０５の制御下で記憶し、また制御部１０５に記憶している情報を提供するためのハードディスクドライブまたはフラッシュメモリである。ポータブルオーディオ機器１００の通信Ｉ／Ｆ部１０３をホスト機器と接続した状態で、ホスト機器から転送された音楽データのファイルは、記憶部１０６に記憶され、その後ユーザが操作部１０２を操作することに応じてオーディオ再生部１０４により再生される。
【００２１】
音声合成部１０７は、制御部１０５から引き渡されたテキスト文字列について音声合成を行い、テキスト情報に相当する音声デジタル信号を制御部１０５に返す機能を有している。図３は、このような音声合成部１０７の構成例を具体的に示した図面である。図３に示すように、この音声合成部１０７は、制御部Ｉ／Ｆ部１２１と、言語処理部１２２と、単語データベース１２４と、音響処理部１２３と、音響データベース１２５とから構成されている。制御部Ｉ／Ｆ部１２１は、制御部１０５とのインターフェイスをなし、制御部１０５が音声合成部１０７に引き渡すコマンド、パラメータおよびテキスト文字列を受け付けるものであり、これらの信号を一時的に記録するバッファを有している。
【００２２】
制御部Ｉ／Ｆ部１２１には言語処理部１２２および音響処理部１２３が接続されており、言語処理部１２２は制御部Ｉ／Ｆ部１２１を介して制御部１０５からコマンド、パラメータおよびテキスト文字列を受けとることが可能になっている。また、言語処理部１２２は受け取ったテキスト文字列について、代表的な単語および固有名詞の読み並びにアクセント等の登録された単語データベース１２４を参照することにより、テキスト文字列を表音文字列に変換して出力する。ここで、表音文字列とは、テキスト文字列の読み、アクセントおよびイントネーションを記述した文字列である。
【００２３】
音響処理部１２３は、言語処理部１２２の出力側に設けられており、言語処理部１２２の出力した表音文字列を受け取り、人間が所定のテキスト文字列を読み上げた場合の音響データの登録された音響データベース１２５を参照することにより、受け取った表音文字列と対応する音素若しくは音素列の音響データを抽出してそれらを組み合わせ、組み合わせた音響データを平滑化するとともにアクセントおよびイントネーションの情報に応じて各音素の高低および強弱が付くように音響データに修飾を施して、デジタル音声信号を生成する機能を有している。音響処理部１２３の出力したデジタル音声信号は制御部Ｉ／Ｆ部１２１を介して制御部１０５に返される。
【００２４】
このような音声合成部１０７、ひいては言語処理部１２２および音響処理部１２３は、制御部１０５とは独立したハードウェア若しくはハードウェアおよびソフトウェアの組み合わせとして構成することも可能であるが、制御部１０５を実現するＣＰＵ上で所定のソフトウェアを実行することにより構成するようにしてもよい。また、いずれの場合においても、言語処理部１２２の利用する単語データベース１２４と、音響処理部１２３の利用する音響データベース１２５とは、それぞれ記憶部１０６に記憶させるようにしても構わないが、別の記憶部に記憶させる構成としてもよい。
【００２５】
出力Ｉ／Ｆ部１０８は、オーディオ再生部１０４の生成したアナログ音声信号を出力するためのインターフェイスである。オーディオ再生部１０４からの出力は、この出力Ｉ／Ｆ部１０８を介してヘッドフォン等の音声出力部１０９に伝達され、該音声出力部１０９からユーザに音声信号として提供される。
【００２６】
図４は、本実施形態にかかるポータブルオーディオ機器１００が再生する音楽データファイルのフォーマット例を示す図面である。ここでは、ＩＤ３ｖ１タグの付加されたＭＰ３フォーマットの音楽データファイルについて示す。図４に示すように、ＭＰ３フォーマットにＩＤ３ｖ１タグを付加する場合、タグデータは複数のフレームからなる音楽データの末尾に付加される。ＩＤ３ｖ１タグには、タイトル、アーティスト名、アルバム名等の情報が所定位置に記述されている。なおＩＤ３ｖ１タグが１２８バイトの固定長データであるのに対し、後継のＩＤ３ｖ２は可変長であり情報量をより多くすることも可能であるが、タグを音楽データの前に挿入する形になる。また、ここではＭＰ３フォーマットの音楽データについて示したが、これに限らずＷＭＡ、ＡＡＣ、ＡＴＲＡＣ等のフォーマットでも略同様にタグ情報を付加することが可能である。
【００２７】
以下、本実施形態にかかるポータブルオーディオ機器１００で音楽再生中に、再生している曲のタイトル、アーティスト名等を表示装置を利用することなくユーザに確認させる動作について、図５のフローチャートを参照しながら説明する。
【００２８】
まず、所定の曲を再生するために、ユーザが操作部１０２を操作して、所定の音楽データファイルの再生を指示する（ＳＴ１０１）。ここでの指示は、例えば記憶部１０６に保存されている音楽データファイルからタグ情報を読み出し、各音楽データファイルのタイトルおよびアーティスト名を表示したリストを表示部１０１に示し、ユーザは操作部１０２を操作することにより再生する音楽データファイルを選択する形式とすることができ、選択した音楽データファイルの再生が終了するとリストの次に位置する曲の再生を開始するように設定することができる。
【００２９】
このＳＴ１０１におけるユーザの指示に応じて、制御部１０５は指定された音楽データファイルからデータを読み出してオーディオ再生部１０４に引き渡し（ＳＴ１０２）、オーディオ再生部１０４が引き渡されたデータをデコードおよびアナログ変換して出力を開始する（ＳＴ１０３）。ここで、制御部１０５はオーディオ再生部１０４の制御部Ｉ／Ｆ部１１０のバッファの容量に応じたサイズを音楽データファイルから順次取り出し、オーディオ再生部１０４に引き渡す構成とすることができる。また、オーディオ再生部１０４における詳細な動作は個々の実装によって異なるが、図２に示した本実施形態のオーディオ再生部１０４においては、制御部１０５から引き渡されたデータはまず制御部Ｉ／Ｆ部１１０に受け取られてバッファに一時保存される。ＤＳＰ１１２は、このデータを逐次デコードすることによりＷＭＡ、ＡＡＣ、ＡＴＲＡＣ等のフォーマット形式から１６ｂｉｔＰＣＭのステレオサウンドデータを生成し、ミキサ１１３を介してデジタルアンプ１１４に出力する。デジタルアンプ１１４は別途制御部１０５から指示された音量となるようにデータを増幅し、これをＤＡＣ１１５でアナログ変換することにより音楽データファイルを再生したアナログ信号がオーディオ再生部１０４から出力される。
【００３０】
ＳＴ１０３で音楽データファイルの再生を開始した後、制御部１０５は操作部１０２に所定の操作が加えられたかを判断する（ＳＴ１０４）。ここでの判断は、例えば制御部１０５が操作部１０２から通知されたキーイベントをキューに蓄積している場合には、キューの内容を参照することにより行うことができる。ＳＴ１０４で所定の操作が加えられていると判断されなかった場合には、所定時間ウェイトし（ＳＴ１１０）、その後ＳＴ１０４の判断を繰り返す。一方、ＳＴ１０４で所定の操作が加えられていると判断された場合には、ＳＴ１０５以降の動作が実行される。なお、ここでは制御部１０５が所定の操作が加えられたか否かを定期的にポーリングする場合を示したが、制御部１０５が割り込みにより所定の操作が加えられたことを検出する構成としてもよい。
【００３１】
ＳＴ１０４で操作が加えられたと判断した場合には、まず制御部１０５が、オーディオ再生部１０４にデコードさせている音楽データファイルのヘッダから楽曲名、アーティスト名の文字列を取得する（ＳＴ１０５）。より具体的には、例えば図４に示すように音楽データファイルの末尾に設けられたＩＤ３タグの所定位置から楽曲名およびアーティスト名の文字列を取得すればよい。次いで、制御部１０５は、取得した楽曲名およびアーティスト名の文字列を、音声合成部１０７に引き渡す（ＳＴ１０６）。
【００３２】
オーディオ再生部１０４が再生している音楽データファイルの楽曲名およびアーティスト名の文字列を受け取った音声合成部１０７は、引き渡された文字列について音声データを合成し、オーディオ再生部１０４に出力する（ＳＴ１０７）。ここで音声合成部１０７における処理をより詳細に説明すると、例えば図３に示した構成において、引き渡された文字列は制御部Ｉ／Ｆ部１２１のバッファに一時保存され、まず言語処理部１２２に渡される。言語処理部１２２は、楽曲名またはアーティスト名のテキスト文字列について、代表的な単語・人名の読み・アクセント等が登録された辞書データを参照することによって、表音文字列を生成する。次に生成された表音文字列は音響処理部１２３に入力され、音響処理部１２３は表音文字列の内容から対応する音素列若しくは音素の音データを音響データベースを抽出してそれらを組み合わせ、組み合わせた音データを平滑化するとともにアクセント・イントネーションの情報に応じて各音素の高低および強弱が付くようにデータに修飾を施して、１６ｂｉｔＰＣＭ形式のデジタル音声信号を生成する。このような処理を楽曲名およびアーティスト名のそれぞれについて行い、得られたデジタル音声信号を制御部Ｉ／Ｆ部１２１から制御部１０５を介してオーディオ再生部１０４に出力する。
【００３３】
この出力を受けたオーディオ再生部１０４は、音声合成部１０７が合成したデジタル音声信号を、オーディオ再生部１０４が音楽データファイルをデコードして得たデジタル音声信号とミキサ１１３によりミキシングし（ＳＴ１０８）、ミキシングされたデータをアナログ変換して出力する（ＳＴ１０９）。このアナログ変換されたデータによって出力Ｉ／Ｆ部１０８を介して接続された音声出力部１０９を駆動することにより、音楽データファイルの再生と同時に、当該音楽データファイルの楽曲名およびアーティスト名の合成音声を音声出力部１０９から再生することができる。
【００３４】
このような動作によれば、ユーザがポータブルオーディオ機器１００で再生している曲の楽曲名およびアーティスト名を知りたくなった場合には、操作部１０２を操作することにより音声出力部１０９から聞こえる合成音声で楽曲名およびアーティスト名を知ることが可能である。すなわち、本発明によれば、ユーザにポータブルオーディオ機器１００の筐体を取り出して表示部１０１の表示内容を見るような煩雑な動作をさせることなく、現在再生している音楽データファイルの楽曲名およびアーティスト名を知らせることができる。また、ここでは音楽データファイルの再生を停止することなく、再生された音楽と同時に楽曲名およびアーティスト名の合成音声を聴くことができるので、ユーザが音楽を楽しんでいる状態を中断せずに楽曲名等の合成音声をユーザに聴かせることが可能である。
【００３５】
以上、本発明の実施の形態について説明したが、本発明はこれに限定されることなく、その趣旨を逸脱しない範囲で種々の改良・変更が可能であることは勿論である。
【００３６】
例えば、上記実施形態では音楽データファイルの再生音に重ね合わせて、楽曲名およびアーティスト名の合成音声をユーザに提供する構成としたが、音楽データファイルの再生を一旦中断して合成音声を提供する構成としてもよい。また、上記実施形態では、ユーザが操作部１０２に所定の操作を加えてから音楽データファイルの楽曲名およびアーティスト名を音声合成する場合を示したが、ユーザの操作を待つことなく、記憶部１０６に記憶された音楽データファイルの楽曲名およびアーティスト名を予め音声合成しておく構成とすることも可能である。
【図面の簡単な説明】
【００３７】
【図１】本発明の実施形態にかかるポータブルオーディオ機器の機能ブロック図。
【図２】オーディオ再生部の機能ブロック図。
【図３】音声合成部の機能ブロック図。
【図４】音楽データファイルの構造を示す図。
【図５】ポータブルオーディオ機器における動作のフローチャート。
【符号の説明】
【００３８】
１００  ポータブルオーディオ機器
１０１  表示部
１０２  操作部
１０３  通信Ｉ／Ｆ部
１０４  オーディオ再生部
１０５  制御部
１０６  記憶部
１０７  音声合成部
１０８  出力Ｉ／Ｆ部
【図１】
2009244814.tif 000003
【図２】
2009244814.tif 000004
【図３】
2009244814.tif 000005
【図４】
2009244814.tif 000006
【図５】
2009244814.tif 000007